(57)【要約】【課題】永久磁石の組み合わせで物体間に負抵抗を発生させ、回転体または直動する物体を、単純な構造でより効率よく、少ないエネルギーで動作と制動ができるようにした磁力推進機構の機械装置を提供することにある。【解決手段】本発明では、永久磁石を等間隔で角度をつけ、同じ極を揃えて取り付ける磁力推進ベルトと、永久磁石の間に推進力が発生する自然法則を応用した磁力推進機構の機械装置を用いる。回転体と磁力推進機構で構成される磁力推進ベルトの回転駆動装置や、搬送テーブルと磁力推進機構で構成される磁力搬送装置により、従来より効率よく、少ないエネルギーで動作する機械装置を提供する。【選択図】　図２
2004032968.tif 000002
【特許請求の範囲】
【請求項１】
永久磁石を等間隔に、角度をつけて同じ極を揃えて配置した磁力推進ベルトの上に永久磁石を近づけると、滑らかに永久磁石が推進する物理的な力が働く。この自然法則を利用した、永久磁石間の力を機械的な運動エネルギーに変換する磁力推進機構が構成される。
この磁力推進機構を利用して、回転体の下の固定された平面に円板状の磁力推進ベルトを配置し、複数の永久磁石を回転体の下面に取り付け、これを多層化した磁力推進ベルトの回転駆動装置。
【請求項２】
磁力推進機構を利用して、回転体の外周に円筒状の磁力推進ベルトを取り付け、固定子として複数の永久磁石を回転体の周りに配置し、回転の制動機能を持たせた磁力推進ベルトの回転駆動装置。
【請求項３】
磁力推進機構を利用して、車輪付きのテーブルの下面に永久磁石を取り付け、テーブルの下の固定された平面に長方形の板状の磁力推進ベルトを複数個、直列に配置した低速型磁力搬送装置。
【請求項４】
磁力推進機構を利用して、床から磁石の反発力により浮上したテーブルの下面に永久磁石を取り付け、テーブルの下の固定された平面に長方形の板状の磁力推進ベルトを複数個、直列に配置した高速型磁力搬送装置。
【請求項５】
上記の磁力推進ベルトの回転駆動装置及び、磁力搬送装置で使用される、形状と推進力に応じて規格化された、板状、円筒状、円板状の非磁性体に、永久磁石を等間隔に角度をつけて同じ極を揃えて配置した磁力推進ベルト。
【発明の詳細な説明】
【０００１】
【発明の属する技術分野】
本発明は永久磁石どうしの組み合わせにより、物体間に負抵抗を発生させ、回転体または直動する物体を、単純な構造でより効率よく、少ないエネルギーで動作と制動ができるようにした磁力推進機構の駆動機械装置に関するものである。
【０００２】
【従来の技術】
従来の機械装置は物体間の摩擦により、投入されたエネルギーを有効に利用できなかった。
摩擦を減らすには機械油を使用するか、擦り合う機械部品の材質をより摩擦抵抗の少ない物に換える以外の方法がなかった。
永久磁石などを使った、電気など外部からエネルギーを投入することなく、物体間に負抵抗を発生させ、機械的エネルギーを得る自然法則を機械に応用する技術がなかった。
【０００３】
【発明が解決しようとする課題】
これは次のような欠点があった。
従来の機械装置は機械的エネルギーを、物体間の摩擦により本来必要以上のエネルギーを必要とする効率のわるいものであり、機械装置の使用コストを押し上げていた。
またそれは石油や天然ガスなどの資源の浪費につながった。二酸化炭素排出量が各国ごとに割り当てられ、石油などを燃やせる量が少なくなってくるので、従来の方法のままでは生産活動の収縮をひきおこす。
【０００４】
【課題を解決するための手段】
上部がＮ極の横方向に広く、厚みの薄い永久磁石１の上に、Ｎ極を左に向けた永久磁石２を近づけると、永久磁石２は左方向に移動する。
ただし永久磁石２は永久磁石１の左上の所で止まり、さらにその左方向にある永久磁石１の上に移動せず、連続した推進力は発生しない（図１）。
本発明は、永久磁石により、連続して推進力を発生させる為に、永久磁石１を１列に等間隔に、角度をつけて同じ極を揃えて配置した磁力推進ベルト３の上に配列方向に直角方向に複数個つながった永久磁石２を近づけると、滑らかに永久磁石２が連続して推進する物理的な力が働く。この自然法則を利用した、永久磁石間の力を機械的な運動エネルギーに変換する磁力推進機構（図２）。
これを利用して、運動させる物体に永久磁石２を取り付け、固定された磁力推進ベルト３と組み合わせるか、運動させる物体に磁力推進ベルト３を取り付け、固定された永久磁石２と組み合わせることにより、運動させる物体に一方向に推進力を発生させる。
これにより、回転体または直動する物体を、単純な構造でより効率よく、少ないエネルギーで動作させることができる（図３）（図５）（図６）。
永久磁石２の方向転換により、回転体の正転、逆転、停止、直動体の前進、後退、停止ができ、随意に制動できる。
【０００５】
【発明の実施の形態】
以下、本発明の実施の形態について説明する。
磁力推進機構を利用して、永久磁石２を自由に回転する回転体４の下面に回転方向に同じ極を向けて付け、回転体４の下の固定された平面に、固定子として円板状の磁力推進ベルト３を配置する。これを多層化することにより、強いトルクを発生させる磁力推進ベルトの回転駆動装置ができる（図３）（図４）。
回転動作を制御するものとして、自由に回転する回転体４の側面に円筒状の磁力推進ベルト３を取り付け、固定子として回転体の周りに永久磁石２を配置した、磁力推進ベルトの回転駆動装置。永久磁石２の向きを変えることにより、正転、逆転、停止させることができる（図５）。
これにより、従来のモーターより効率よく、少ないエネルギーで動作する駆動機器としての、磁力推進ベルトの回転駆動装置が提供される。
照明器に応用した例として、照明器９と発電器１０を取り付けることにより、停電に影響されない照明として使用できる（図６）。
磁力推進機構を利用して、車輪付きのテーブル５の下面に永久磁石２を進行方向に同じ極を向けて取り付け、テーブル５の下の固定された平面に、長方形の板状の磁力推進ベルト３を配置した磁力搬送装置。永久磁石２の向きを変えることにより、前進、後退、停止させることができる（図７）。
生産現場では、決まったルートを通して製品を搬送する行程が多数あるが、これにより従来の製品の搬送を効率よく、少ないエネルギーで行える磁力搬送装置が提供される。
磁力搬送装置を乗り物に応用した例として、リニアモーターカーのレールに磁力推進ベルト３を使用し、車体１２に推進用の永久磁石２、浮上用磁石６を取り付け、車体１２の前面に低出力高周波レーザー１１を配置することにより、レーザー光の圧力で空気を押し分ける様にして、空気抵抗を下げることにより、従来の搬送を効率よく、少ないエネルギーで行なえる（図１３）。
磁力推進ベルトの回転駆動装置及び、磁力搬送装置で使用される、磁力推進ベルト３は、用途に応じて長方形をした板状、円筒状、円板状にする必要があり、板状、円筒状、円板状のプラスチックやアルミニウムなどの非磁性体に永久磁石を等間隔に角度をつけて同じ極を揃えて配置する。
形状と推進力に応じて規格化することにより、製品を量産化しやすくし、製作コストを下げられる（図１１）（図１２）（図１３）。
【０００６】
【発明の効果】
磁力推進ベルトの回転駆動装置と磁力搬送装置の、従来よりエネルギーをあまり必要としないで駆動する機械が提供されることにより、石油や天然ガスなどを燃やす量を少なくできる。また構造が単純なのでさまざまな生産分野に応用しやすい。
磁力推進ベルトを形状と推進力に応じて規格化することにより、磁力推進ベルトの回転駆動装置及び、磁力搬送装置を量産化しやすくし、製作コストを下げられる。
単純な構造の磁力推進機構により、機械装置の物体間の摩擦を減少させることができ、従来の機械装置に、機械的な負抵抗を発生させる磁力推進機構を取り付けることによっても性能を向上することが出来る。
これにより機械効率が上がり、少ないエネルギーで動作させることができ、それにともない使用コストをさげられる。
二酸化炭素排出量が各国ごとに割り当てられているが、石油や天然ガスなどを燃やす量を減らせるので、生産活動の収縮を押さえることができる。
【図面の簡単な説明】
【図１】永久磁石間の磁力の説明図である。
【図２】磁力推進機構の説明図である。
【図３】円板状の磁力推進ベルトの回転駆動装置の説明図である。
【図４】円筒状の磁力推進ベルトの回転駆動装置の説明図である。
【図５】多層配置した円板状の磁力推進ベルトの回転駆動装置の説明図である。
【図６】照明機器と発電器をつけた、磁力推進ベルトの回転駆動装置の説明図である。
【図７】磁力搬送装置の説明図である。
【図８】Ａ方向から見た、磁気で浮上するテーブルを用いた磁力搬送装置の説明図である。
【図９】Ａ方向から見た、車輪付きテーブルを用いた磁力搬送装置の説明図である。
【図１０】磁力搬送装置をリニアモーターカーに応用した説明図である。
【図１１】円板状の磁力推進ベルトの説明図である。
【図１２】円筒状の磁力推進ベルトの説明図である。
【図１３】長方形の板状の磁力推進ベルトの説明図である。
【符号の説明】
１　等間隔に極を揃えて配置された永久磁石
２　永久磁石
３　磁力推進ベルト
４　回転体
５　シャフト
６　ケース
７　磁力推進ベルトの回転駆動装置
８　照明器
９　発電器
１０　テーブル
１１　浮上用磁石
１２　車輪
１３　低出力高周波レーザー
１４　車体
１５　非磁性体
【図１】
2004032968.tif 000003
【図２】
2004032968.tif 000004
【図３】
2004032968.tif 000005
【図４】
2004032968.tif 000006
【図５】
2004032968.tif 000007
【図６】
2004032968.tif 000008
【図７】
2004032968.tif 000009
【図８】
2004032968.tif 000010
【図９】
2004032968.tif 000011
【図１０】
2004032968.tif 000012
【図１１】
2004032968.tif 000013
【図１２】
2004032968.tif 000014
【図１３】
2004032968.tif 000015